(57)【特許請求の範囲】
【請求項１】
建物基礎３の外周に連続的に配される基礎断熱パネル５であって、該基礎３の外側面に、基礎断熱パネル５を接着剤にて貼設し、該基礎断熱パネル５の上部に、水切りジョイナー７及び水切り８を設置すべく、基礎断熱パネル５の上部は、基礎３の上面より段落ちさせた構成とし、該段落ち構成により生じた基礎断熱パネル５の存在しない空間を断熱する部材として、基礎断熱パネル５の上端から外壁４の下部にかけて、基礎上断熱材１０を基礎３の側面に添わせるようにして貼設した構成において、該基礎断熱パネル５は断熱材２０と、該断熱材２０に貼設された外装板１５とから構成し、左右に隣接する断熱材２０・２０の、隣接する一端側の表面を平面視において段付形状部２０Ｒとし、該段付形状部２０Ｒに、一端は断熱材２０の端面に一致させて、横幅Ｌ１の目地パネル２９を貼設し、該目地パネル２９を貼設した後、該断熱材２０の外装板１５を、目地パネル２９の上から横幅Ｌ２だけ重ねて貼設し、一方、隣接する断熱材２０の外装板１５の他端部を、該目地パネル２９側に突設し、横幅Ｌ３だけ重ねて貼設することを特徴とする基礎断熱パネルの取付構造。
【請求項２】
請求項１記載の基礎断熱パネルの取付構造において、該目地パネル２９の横幅Ｌ１に、外装板１５を横幅Ｌ２・Ｌ３だけ重ねると共に、外装板１５の横幅を幅Ｌ４とし、断熱材２０の横幅を幅Ｌ５とすると、『Ｌ４＜Ｌ５、Ｌ１＋Ｌ４＞Ｌ５、Ｌ２＋Ｌ３＜Ｌ１』の数式を満たすように各構成板の所定の横幅を有することを特徴とする基礎断熱パネルの取付構造。
【発明の詳細な説明】
【０００１】
【発明の属する技術分野】
本発明は、住宅の基礎の外側に取り付ける断熱材に関する。特に、その基礎断熱パネルの取付構造に関する。
【０００２】
【従来の技術】
外断熱構造は、建物構造体外部に断熱材を連続して施工できることから、断熱ライン（気密ライン）に欠損が生じることがない。
このことから、外断熱構造は建物構造体内部の熱分布にムラが生じない気密性の高い断熱構造であるというのが特徴である。
以上の特徴より、冬場の暖房効率を大幅に向上することが出来るため、近年、特に寒冷地においては、該外断熱構造が多く採用されている。
【０００３】
該外断熱構造の一つとして建物基礎の外周部（建物外側）を断熱材で被う外断熱基礎構造がある。一般的には、基礎の外周に断熱材を貼設し、該断熱材の上にモルタルを塗りこむものが一般的である。該断熱材の外周には、モルタル刷毛引により、断熱材の耐候性の向上が図られている。
また、前記水切りは、雨水の断熱材への浸入による断熱材内のカビの発生や腐食を防いでいる。
【０００４】
【発明が解決しようとする課題】
上記のモルタル刷毛引によるものは、断熱材の上を隙間のないように被うことが出来るため、断熱材を完全に外気から被い隠すことができるが、外気の温度変化及び雨によりモルタル表面が腐食し、モルタル表面にひび割れが発生してしまうのである。
このひび割れにより、外観の美観が損なわれてしまうことから、寒冷地のように地面の凍結・融解を繰り返す過酷な環境での使用には適していない。さらに、ひび割れた箇所から、雨水が浸入してしまうことになる。勿論、冷気が流れこむため、断熱効果の低下を来すことは言うまでもない。
また、刷毛引作業は手作業であるため、施工のムラや刷毛の跡が残ってしまう場合は、建物外装全体としての美観が損なわれてしまう。
【０００５】
一方、断熱材外側に外装板を貼設する構造は、外装板自体に耐候性を持たせることが可能となるため、外観の美観が損なわれるということはない。しかし、外装板の隣接部に目地が生じるため、該目地から断熱材に雨水が浸入することがないように、該目地においては目地詰の処理が必要であった。
また、従来は断熱材と外装板を別体で構成し、施工現場において断熱材を基礎に貼設した後に、外装板を断熱材に貼設する作業をしていたため、施工ムラにより外観の美観が損なわれる場合があった。
【０００６】
【課題を解決するための手段】
本発明の解決しようとする課題は以上のごとくであり、次に該課題を解決する為の手段を説明する。
【０００７】
請求項１においては、建物基礎３の外周に連続的に配される基礎断熱パネル５であって、該基礎３の外側面に、基礎断熱パネル５を接着剤にて貼設し、該基礎断熱パネル５の上部に、水切りジョイナー７及び水切り８を設置すべく、基礎断熱パネル５の上部は、基礎３の上面より段落ちさせた構成とし、該段落ち構成により生じた基礎断熱パネル５の存在しない空間を断熱する部材として、基礎断熱パネル５の上端から外壁４の下部にかけて、基礎上断熱材１０を基礎３の側面に添わせるようにして貼設した構成において、該基礎断熱パネル５は断熱材２０と、該断熱材２０に貼設された外装板１５とから構成し、左右に隣接する断熱材２０・２０の、隣接する一端側の表面を平面視において段付形状部２０Ｒとし、該段付形状部２０Ｒに、一端は断熱材２０の端面に一致させて、横幅Ｌ１の目地パネル２９を貼設し、該目地パネル２９を貼設した後、該断熱材２０の外装板１５を、目地パネル２９の上から横幅Ｌ２だけ重ねて貼設し、一方、隣接する断熱材２０の外装板１５の他端部を、該目地パネル２９側に突設し、横幅Ｌ３だけ重ねて貼設するものである。
【０００８】
請求項２においては、請求項１記載の基礎断熱パネルの取付構造において、該目地パネル２９の横幅Ｌ１に、外装板１５を横幅Ｌ２・Ｌ３だけ重ねると共に、外装板１５の横幅を幅Ｌ４とし、断熱材２０の横幅を幅Ｌ５とすると、『Ｌ４＜Ｌ５、Ｌ１＋Ｌ４＞Ｌ５、Ｌ２＋Ｌ３＜Ｌ１』の数式を満たすように各構成板の所定の横幅を有するものである。
【０００９】
【発明の実施の形態】
次に、本発明の実施の形態を、図面に基づいて説明する。
図１は本発明の実施例の全体構成の斜視図、図２は同じく側面断面図、図３は基礎に基礎断熱パネルを取り付ける状態を表す斜視図、図４は基礎断熱パネルの構成図、図５は基礎断熱パネルの隣接部を表す平面断面図、図６は基礎断熱パネルの形状の実施例を表す図、図７は出隅における基礎断熱パネルを表す図、図８は入隅における基礎断熱パネルを表す図である。
【００１０】
まず、本発明を適用した実施例の概要について説明する。
図１及び図２に示すごとく、地盤１に配した捨コンクリート２の上に、基礎３を設置し、該基礎３の上に外壁４が配されている。そして、該基礎３の外側面（地盤１側）には、基礎断熱パネル５が接着剤によって貼設されている。該基礎断熱パネル５は、基礎３の側面に固設され外側に突設した水切り受金具６によって、設置作業において仮固定（位置決めとなる）され、該水切り受金具６の上には水切り８を嵌合保持する水切りジョイナー７が設置されている。
また、前記基礎断熱パネル５は水切りジョイナー７及び水切り８を設置するため、その上端は基礎３の上面より段落ちさせる構成（低い位置）としている。このように、段落ちさせることによって生じた基礎断熱パネル５の存在しない空間を断熱する部材として、基礎断熱パネル５の上端から外壁４の下部にかけて、基礎上断熱材１０が基礎３の側面に添わせるようにして貼設されている。
【００１１】
次に、基礎断熱パネル５について説明する。
該基礎断熱パネル５は、図１に示すごとく、断熱材２０の外側面に外装板１５及び目地パネル２９（図示しない）を貼設して一体構成としたものであって、複数の基礎断熱パネル５を連続的に基礎３に配置することにより、基礎３の外周全体を取り囲むものである。該外装板１５は、地盤１の上面、即ち、断熱材２０が外気と触れる面を被うことにより、断熱材２０の外気に対しての耐候性を高めるとともに、建物外観の美観を向上させている。
【００１２】
次に、該基礎断熱パネル５の構造について説明する。
該基礎断熱パネル５は、図４に示すごとく、断熱材２０の一端を段付形状部２０Ｒで構成している。そして、該段付形状部２０Ｒに目地パネル２９が貼設される。該目地パネル２９の横幅は、幅Ｌ１のごとくであり、その右端が断熱材２０の端面に一致するように段付形状部２０Ｒに貼設されている。該目地パネル２９を貼設した後、目地パネル２９の上から重ねるようにして、外装板１５が貼設されている。該外装板１５の一端部（右端部）は、目地パネル２９に対して、図中の幅Ｌ２の分だけ重なるように構成する。一方、外装板１５の他端部（左端部）は、図中の幅Ｌ３の分だけ、断熱材２０から隣接する基礎断熱パネル５の目地パネル２９側（左側）に突設するように構成する。
【００１３】
さらに、以上の各構成部材の横幅は、前記外装板１５の横幅を幅Ｌ４とし、断熱材２０の横幅を幅Ｌ５として、Ｌ４＜Ｌ５、Ｌ１＋Ｌ４＞Ｌ５、Ｌ２＋Ｌ３＜Ｌ１、の数式を満たすように構成する。
【００１４】
次に、基礎断熱パネル５を基礎３に取り付ける例について説明する。
図３に示すごとく、基礎３の凹部１１・１１・・・には、水切り受金具６・６・・・が取り付けられている。該水切り受金具６・６・・・を取り付ける際には、基礎３に墨出し２７をして、該墨出し２７に水切り受金具６・６・・・の上面が水平となるように取り付ける。
【００１５】
基礎断熱パネル５の断熱材２０の裏面（外装板１５と反対側面）には、接着剤を塗布する。接着剤には、硬化後に基礎断熱パネル５を強固に基礎３に貼り付ける接着力を呈するものを選択する。接着剤及び接着方法としては、例えば、震動吸収性や異種材同士の接着に優れた特性を有する弾性接着剤（変性シリコーン接着剤等）をゴルフボール程度の球形になるよう数箇所に塗布して行うものがある。
【００１６】
そして、基礎断熱パネル５・５・・・を水切り受金具６・６・・・に対して下から当接するようにして、基礎３に貼設するのである。また、万が一、基礎断熱パネル５・５・・・の隣接部に隙間が生じてしまう際には、基礎断熱パネル５の下に楔２８・２８・・・を挿入することにより、基礎断熱パネル５・５の隣接部の目地及び高さレベルを調整する。該楔２８・２８・・・の他に、図２に示すように、水切り受金具６に穿設した、釘孔から釘２４を打ち込んで、基礎断熱パネル５・５・・・を仮止めすることで、目地を調整してもよい。
【００１７】
以上のごとく設置された基礎断熱パネル５・５・・・の隣接部の外側表面は、図５に示すごとく、目地パネル２９で構成される。該目地パネル２９の外側表面の上からは、外装板１５・１５が被さるように当接するので、気密性が高まり、雨水や湿気が断熱材２０・２０に進入することがないのである。
【００１８】
そして、前述したごとく、目地パネル２９に対しての外装板１５・１５の重なり代は、それぞれ幅Ｌ２・Ｌ３（図４に示す）となるため、左右に位置する外装板１５・１５の端部の間には、図５の矢印Ｗに示すごとくの空間（所定の間隔）ができ（上述のごとく、Ｌ２＋Ｌ３＜Ｌ１であるため）、お互いの外装板１５・１５が直接当接することはない。尚、幅Ｌ２・Ｌ３は同一の幅であっても、異なる幅であってもよい。このように、所定の間隔（図中の矢印Ｗ）構成したのは、お互いの外装板１５・１５が直接当接しないようにして、基礎断熱パネル５・５・・・を設置した際の微妙な調整を可能とするためである。
【００１９】
例えば、お互いの外装板１５・１５が直接当接してしまうと、隣接する一方の基礎断熱パネル５の傾きに対応して、他方の基礎断熱パネル５も傾くことになる。該基礎断熱パネル５・５・・・は、基礎３の全周を取り巻くように設置されるので、一つの基礎断熱パネル５が傾いて設置されてしまうと（地盤１に対して垂直に貼設されない）、他の基礎断熱パネル５にも影響し、基礎断熱パネル５で構成される外観の仕上りや断熱効果に悪影響を及ぼしてしまうのである。
そこで、施工時における不具合を考慮して、各基礎断熱パネル５において傾きの微調整を可能としたのである。該微調整をした後においても、前述したごとく、目地パネル２９に対して外装板１５・１５が重なるので、外気が流れ込むといったことはない。
【００２０】
また、基礎断熱パネル５の取り付けについては、基礎３の外周及び形状（出隅や入隅等）に対応することが必要となる。
そして、搬入の効率化、及び施工現場での管理のしやすさの面から、外形寸法は施工しやすく、かつ、運びやすい大きさであることが望ましい。
さらに、基礎断熱パネル５の収まり上、施工が困難である出隅・入隅、及び玄関や窓サッシ等の細部においては、予め該細部（基礎３の外側形状が複雑な部位）の形状に対応するように構成しておくことが望ましい。
【００２１】
そこで、図６に示すごとく、凹凸がない部分である一般部には直線状の平面基礎断熱パネル５１を貼設する。該平面基礎断熱パネル５１の横幅寸法は、例えば、３００ｍｍ・６００ｍｍ・９００ｍｍ等とすれば、上述のごとくの搬入の効率化・管理のしやすさを実現することができる。
また、出隅及び入隅においては、予め角部に対応する形状にした出隅基礎断熱パネル５３及び入隅基礎断熱パネル５４を貼設する。こうして、施工現場において、角部の収まりの調整の必要をなくすことができる。
【００２２】
以上のように構成し、図７及び図８に示すごとく、出隅４０・入隅４１においても、美しい仕上りとなり、その施工作業も簡単に行うことができるのである。また、角部において断熱材２０（図示しない）の連続が途切れることがないので、高い断熱効果を奏することができるのである。
【００２３】
以上が基礎３の形状に対応するための構成であるが、これに限ることなく、それぞれの幅、形状等は設計時における基礎３に対応するように設計、制作すればよい。
また、上述した各構成部材は、住宅設計に基づいて工場で予め制作しておくので、施工時の現場加工の必要がなく施工時間の短縮化を図ることができるのである。
そして、該基礎断熱パネル５を工場で製作すること、加工精度の高い断熱材を搬入することが可能となるので、施工者による施工ムラが極力抑えられ、美しい仕上りを実現できる。
【００２４】
【発明の効果】
本発明は以上のごとく構成したので、次のような効果を奏するのである。
請求項１の如く、建物基礎３の外周に連続的に配される基礎断熱パネル５であって、該基礎３の外側面に、基礎断熱パネル５を接着剤にて貼設し、該基礎断熱パネル５の上部に、水切りジョイナー７及び水切り８を設置すべく、基礎断熱パネル５の上部は、基礎３の上面より段落ちさせた構成とし、該段落ち構成により生じた基礎断熱パネル５の存在しない空間を断熱する部材として、基礎断熱パネル５の上端から外壁４の下部にかけて、基礎上断熱材１０を基礎３の側面に添わせるようにして貼設した構成において、該基礎断熱パネル５は断熱材２０と、該断熱材２０に貼設された外装板１５とから構成し、左右に隣接する断熱材２０・２０の、隣接する一端側の表面を平面視において段付形状部２０Ｒとし、該段付形状部２０Ｒに、一端は断熱材２０の端面に一致させて、横幅Ｌ１の目地パネル２９を貼設し、該目地パネル２９を貼設した後、該断熱材２０の外装板１５を、目地パネル２９の上から横幅Ｌ２だけ重ねて貼設し、一方、隣接する断熱材２０の外装板１５の他端部を、該目地パネル２９側に突設し、横幅Ｌ３だけ重ねて貼設したので、目地詰め作業、及び外装板１５の貼設作業を要さず、基礎断熱パネルを貼設するだけで、施工を完成することができる。
また、上述した各構成部材は、住宅設計に基づいて工場で予め制作しておくので、施工時の現場加工の必要がなく施工時間の短縮化を図ることができるのである。
そして、該基礎断熱パネル５を工場で製作することにより、加工精度の高い断熱材を搬入することが可能となるので、施工者による施工ムラが極力抑えられ、美しい仕上りが実現できるのである。
また、目地パネル２９により、雨水の断熱材２０への浸入による断熱材内のカビの発生や腐食を防いでいる。
さらに、目地パネル２９及び外装板１５が当接することより、目地部の気密性を高くすることができるので、高い断熱効果を奏することができる。
【００２５】
請求項２の如く、該目地パネル２９の横幅Ｌ１に、外装板１５を横幅Ｌ２・Ｌ３だけ重ねると共に、外装板１５の横幅を幅Ｌ４とし、断熱材２０の横幅を幅Ｌ５とすると、『Ｌ４＜Ｌ５、Ｌ１＋Ｌ４＞Ｌ５、Ｌ２＋Ｌ３＜Ｌ１』の数式を満たすように各構成板の所定の横幅を有するので、各基礎断熱パネル５において傾きの微調整を可能にすることで、全体の仕上りを美しくすることができる。
また、前記外装板の端部は目地パネル表面上に重なり、外装板の横幅は断熱材よりも狭く構成したので、目地パネル２９と外装板１５の間の気密性を高めることができるのである。
【図面の簡単な説明】
【図１】  本発明の実施例の全体構成の斜視図である。
【図２】  同じく側面断面図である。
【図３】  基礎に基礎断熱パネルを取り付ける状態を表す斜視図である。
【図４】  基礎断熱パネルの構成図である。
【図５】  基礎断熱パネルの隣接部を表す平面断面図である。
【図６】  基礎断熱パネルの形状の実施例を表す図である。
【図７】  出隅における基礎断熱パネルを表す図である。
【図８】  入隅における基礎断熱パネルを表す図である。
【符号の説明】
３  基礎
５  基礎断熱パネル
１０  基礎上断熱材
１５  外装板
２０  断熱材
２９  目地パネル
【図１】
0003848529.tif 000002
【図２】
0003848529.tif 000003
【図３】
0003848529.tif 000004
【図４】
0003848529.tif 000005
【図５】
0003848529.tif 000006
【図６】
0003848529.tif 000007
【図７】
0003848529.tif 000008
【図８】
0003848529.tif 000009